(57)【要約】【課題】クロストーク現象を改善することのできる表示装置を提供する。【解決手段】表示装置において、データ電圧を出力するデータドライバは、表示パネルに実装される。電圧補償ユニットは、表示パネルからフィードバックされるストレージ電圧を受けて、フィードバックされたストレージ電圧に基づいて共通電圧を補償するための補償信号を生成して表示パネルに供給する。表示パネルには、ストレージ電圧を電圧補償ユニットに供給するフィードバックラインをさらに含み、フィードバックラインは、表示パネルに具備されたストレージラインから延びて電圧補償ユニットに電気的に接続される。これにより、共通電圧のリップル成分によるクロストーク現象を除去することができ、その結果、表示装置の表示品質を改善することができる。【選択図】図１
2010107980.tif 000002
【特許請求の範囲】
【請求項１】
データ信号を出力するデータドライバと、
ゲート信号を順次に出力するゲートドライバと、
前記データ信号を受信するデータラインと、前記ゲート信号を順次に受信するゲートラインと、前記データライン及び前記ゲートラインに接続された画素を具備して映像を表示する表示パネルと、
共通電圧及びストレージ電圧を生成して前記表示パネルに供給する電圧発生ユニットと、
前記表示パネルからフィードバックされる前記ストレージ電圧を受けて、前記フィードバックされた前記ストレージ電圧に基づき前記共通電圧を補償する補償信号を生成する電圧補償ユニットと、
前記ストレージ電圧を前記電圧補償ユニットに供給し、前記データドライバを通って前記電圧補償ユニットに電気的に接続されるフィードバックラインと、を含むことを特徴とする表示装置。
【請求項２】
前記電圧発生ユニット及び前記電圧補償ユニットが具備される印刷回路基板と、
前記印刷回路基板と前記表示パネルとに電気的に接続されるフレキシブル回路フィルムと、をさらに含むことを特徴とする請求項１に記載の表示装置。
【請求項３】
前記フィードバックラインは、前記フレキシブル回路フィルムを経由して、前記印刷回路基板に延長されて前記電圧補償ユニットに電気的に接続されることを特徴とする請求項２に記載の表示装置。
【請求項４】
前記データドライバは、一つのチップに集積され、前記チップは、前記フレキシブル回路フィルムの上に実装され、前記フィードバックラインは、前記フレキシブル回路フィルムの上で前記チップとオーバーラップすることを特徴とする請求項３に記載の表示装置。
【請求項５】
前記チップは、前記表示パネルの上に実装され、
前記フィードバックラインは、前記表示パネルの上で前記チップとオーバーラップすることを特徴とする請求項３に記載の表示装置。
【請求項６】
前記チップの下部面には、前記フィードバックラインの経路に対応してブランク領域が形成され、
前記チップは、前記ブランク領域を除いた残りの領域に具備される複数の端子を含むことを特徴とする請求項１に記載の表示装置。
【請求項７】
前記チップは、
前記フィードバックラインに電気的に接続される第１ダミー端子及び第２ダミー端子と、
前記チップ内部に具備されて前記第１ダミー端子と前記第２ダミー端子とを電気的に接続させる内部配線と、を含むことを特徴とする請求項１に記載の表示装置。
【請求項８】
前記表示パネルは、
前記電圧発生ユニットから前記共通電圧を受ける一つ以上の共通電圧ラインと、
前記共通電圧ラインを通じて前記共通電圧を受ける共通電極と、
前記電圧発生ユニットから前記ストレージ電圧を受ける複数のストレージ電圧ラインと、をさらに含み、
前記フィードバックラインは、前記複数のストレージラインのうち、何れか一つと電気的に接続されることを特徴とする請求項１に記載の表示装置。
【請求項９】
前記フィードバックラインは、前記ストレージラインのうち、前記チップに最も隣接した一つのストレージラインから分岐することを特徴とする請求項８に記載の表示装置。
【請求項１０】
前記電圧補償ユニットから出力された前記補償信号は、前記共通電圧ライン及び前記複数のストレージラインに印加されることを特徴とする請求項８に記載の表示装置。
【発明の詳細な説明】
【技術分野】
【０００１】
本発明は、表示装置に関し、より詳細には、クロストーク（ｃｒｏｓｓｔａｌｋ）現象を改善することのできる表示装置に関する。
【背景技術】
【０００２】
液晶表示装置は、二つの基板の間に電界を形成し、二つの基板の間に介在された液晶層を透過する光の量を調節することによって、所望の映像を表示する装置である。
【０００３】
そのために液晶表示装置の二つの基板のうち、下部基板には複数のゲートライン、複数のデータライン及び複数の画素が具備され、上部基板には共通電極が具備される。複数のゲートラインを順次に駆動させてゲートラインに接続された複数の画素にデータラインに印加されたデータ電圧を供給する。
【０００４】
電界の方向が一定であると、液晶の劣化が発生しうるので、液晶表示装置は、データ電圧の極性を共通電圧に対して一つのフレーム毎に反転させる反転駆動方式を採用する。
【０００５】
反転駆動方式を採用すると、共通電圧とデータ電圧との間にカップリングが発生しうる。特に、共通電圧は、直流電圧に形成されるが、データ電圧が上昇及び下降する地点で共通電圧にリップルが発生する。共通電圧に発生したリップルは、各画素の液晶キャパシタに影響を与えて、その結果、液晶表示装置にクロストーク現象が発生して表示品質が低下する。
【先行技術文献】
【特許文献】
【０００６】
【特許文献１】韓国特許公開２００６−００００２３２号公報
【発明の概要】
【発明が解決しようとする課題】
【０００７】
本発明は、上述の問題点に鑑みてなされたもので、その目的は、共通電圧のリップルを除去してクロストーク現象を改善するための表示装置を提供することにある。
【課題を解決するための手段】
【０００８】
上述の目的を達成するため、本発明による表示装置は、データドライバと、ゲートドライバと、表示パネルと、電圧発生ユニットと、電圧補償ユニットと、フィードバックラインと、を含む。データドライバは、データ電圧を出力し、ゲートドライバは、ゲート信号を順次に出力する。表示パネルは、データ信号を受信するデータラインと、ゲート信号を順次に受信するゲートラインと、データラインとゲートラインとに接続された画素を具備して映像を表示する。電圧発生ユニットは、共通電圧及びストレージ電圧を生成して表示パネルに供給し、電圧補償ユニットは、表示パネルからフィードバックされるストレージ電圧を受けて、フィードバックされたストレージ電圧に基づいて共通電圧を補償する補償信号を生成する。フィードバックラインは、ストレージ電圧を電圧補償ユニットに供給し、データドライバを通って電圧補償ユニットに電気的に接続される。
【発明の効果】
【０００９】
このような表示装置によると、データドライバが一つのチップに形成された構造となり、共通電圧を補償する電圧補償ユニットは、液晶表示パネルに具備されたストレージラインからフィードバックされるストレージ電圧を受けて共通電圧を補償する補償信号を生成することができる。
【００１０】
従って、共通電圧のリップルによるクロストーク現象を除去することができ、その結果、表示装置の表示品質を改善することができる。
【図面の簡単な説明】
【００１１】
【図１】本発明の一実施形態による液晶表示装置の平面図である。
【図２】図１に示されたフィードバックラインの経路を拡大して示した拡大図である。
【図３】図２に示された切断線Ｉ‐Ｉ’に沿って切断した断面図である。
【図４】本発明の他の実施形態による液晶表示装置の平面図である。
【図５】図４に示されたドライバＩＣのブロック図である。
【図６】図１に示された電圧補償ユニットの回路図である。
【図７】液晶表示パネルの共通電圧、ストレージ電圧、及び補償信号の波形図である。
【図８】本発明のまた他の実施形態による液晶表示装置の平面図である。
【図９】図８に示された共通電圧補償回路の回路図である。
【図１０】図８に示された液晶表示装置の駆動回路を示したブロック図である。
【図１１】第１映像データの入力順序を示した図である。
【図１２】第２映像データの入力順序を示した図である。
【図１３】本発明の他の実施形態によるドライバＩＣのブロック図である。
【発明を実施するための形態】
【００１２】
以下、添付した図面を参照して本発明の望ましい実施形態をより詳細に説明する。
【００１３】
図１は、本発明の一実施形態による液晶表示装置の平面図である。図１を参照すると、本発明による液晶表示装置４００は、映像を表示する液晶表示パネル１００と、液晶表示パネル１００に隣接した印刷回路基板２００と、液晶表示パネル１００と印刷回路基板２００を電気的に接続させるフレキシブル回路フィルム３００と、を含む。
【００１４】
液晶表示パネル１００は、アレイ基板１１０と、アレイ基板１１０と面するカラーフィルタ基板１２０と、アレイ基板１１０とカラーフィルタ基板１２０との間に介在された液晶層（図示せず）とを含む。アレイ基板１１０は、映像を表示する表示領域ＤＡ及び表示領域ＤＡを囲んだ周辺領域ＰＡに区分される。本発明の一例として、周辺領域ＰＡは、実質的に表示領域ＤＡの全体を囲む。
【００１５】
アレイ基板１１０の表示領域ＤＡには、複数の画素がマトリックス形態に具備される。具体的に、表示領域ＤＡには、複数のゲートラインＧＬ１〜ＧＬｎと、複数のデータラインＤＬ１〜ＤＬｍと、複数のストレージラインＳＬ１〜ＳＬｎとが具備される。複数のゲートラインＧＬ１〜ＧＬｎは、第１方向Ｄ１に延長され、互いに一定な間隔に配列される。複数のデータラインＤＬ１〜ＤＬｍは、第１方向Ｄ１と直交する第２方向Ｄ２に延長されて互いに一定な間隔に配列される。複数のデータラインＤＬ１〜ＤＬｍと複数のゲートラインＧＬ１〜ＧＬｎとは、互いに異なる層上に具備されて互いに絶縁されるように交差する。複数のストレージラインＳＬ１〜ＳＬｎは、ゲートラインＧＬ１〜ＧＬｎと同一層上に具備され、第１方向Ｄ１に延長され、互いに一定な間隔に配列される。各ストレージラインは、各々が隣接する二つのゲートラインの間に具備される。
【００１６】
ゲートラインＧＬ１〜ＧＬｎ及びデータラインＤＬ１〜ＤＬｍによって、表示領域ＤＡには、複数の画素領域が形成される。各画素領域には、一つの画素が配置され、各画素は、薄膜トランジスタ１１１と、液晶キャパシタＣｌｃの第１電極である画素電極と、ストレージキャパシタＣＳｔと、を含む。ストレージラインＳＬ１〜ＳＬｎには、ストレージ電圧Ｖｓｔが印加され、ストレージラインＳＬ１〜ＳＬｎは、各画素の画素電極とオーバーラップ（ｏｖｅｒｌａｐ）してストレージキャパシタＣＳｔを形成する。
【００１７】
周辺領域ＰＡには、ストレージラインＳＬ１〜ＳＬｎを接続する第１及び第２連結ラインＣＬ１、ＣＬ２が具備される。第１連結ラインＣＬ１は、ストレージラインＳＬ１〜ＳＬｎの第１端部を接続し、第２連結ラインＣＬ２は、ストレージラインＳＬ１〜ＳＬｎの第２端部を接続する。第１及び第２連結ラインＣＬ１、ＣＬ２は、外部からストレージ電圧Ｖｓｔを受信してストレージラインＳＬ１〜ＳＬｎに供給する。
【００１８】
図面には示さなかったが、カラーフィルタ基板１２０は、カラーフィルタと、共通電極と、を含む。カラーフィルタは、レッド、グリーン、ブルーの色画素を含み、共通電極は、カラーフィルタ基板１２０の全面に形成され、画素電極と対向して液晶キャパシタＣｌｃを形成する。共通電極には、共通電圧Ｖｃｏｍが印加される。本発明の他の実施形態では、カラーフィルタまたは共通電極は、アレイ基板１１０上に形成されてもよい。
【００１９】
共通電極に共通電圧Ｖｃｏｍを印加するためにアレイ基板１１０には、外部から共通電圧Ｖｃｏｍを受信する第１及び第２共通電圧ラインＶＬ１、ＶＬ２が具備される。第１共通電圧ラインＶＬ１は、第１ショートポイント（ｓｈｏｒｔ  ｐｏｉｎｔ）ＳＰ１で共通電極と電気的に接続され、第２共通電圧ラインＶＬ２は、第２ショートポイントＳＰ２で共通電極と電気的に接続される。ショートポイントの数及び位置は、多様に変更が可能である。
【００２０】
図面に示さなかったが、第１及び第２ショートポイントＳＰ１、ＳＰ２には、導電スペーサが具備される。具体的に、導電スペーサは、第１共通電圧ラインＶＬ１と共通電極との間、及び第２共通電圧ラインＶＬ２と共通電極との間に介在して互いを電気的に接続させる。従って、第１及び第２共通電圧ラインＶＬ１、ＶＬ２に印加された共通電圧Ｖｃｏｍを、導電スペーサを経由して共通電極に印加することができる。
【００２１】
本発明の一例として、液晶表示パネル１００は、第２方向Ｄ２より第１方向Ｄ１に長い長方形の構造に形成され、複数のゲートラインＧＬ１〜ＧＬｎの数は、複数のデータラインＤＬ１〜ＤＬｍの数より多い。ここで、各画素は、第１方向Ｄ１に長い構造に形成される。
【００２２】
液晶表示装置４００は、ゲートドライバ１５０と、データドライバ３５０とをさらに含む。ゲートドライバ１５０は、複数のアモルファスシリコン・トランジスタ（ａｍｏｒｐｈｏｕｓ  ｓｉｌｉｃｏｎ  ｔｙｐｅ  ｔｒａｎｓｉｓｔｏｒｓ）を含み、薄膜工程（ａ  ｔｈｉｎ  ｆｉｌｍ  ｐｒｏｃｅｓｓ）によりアレイ基板１１０上に直接的に形成される。ゲートドライバ１５０は、液晶表示パネル１００の短い方の一辺に隣接して具備されて複数のゲートラインＧＬ１〜ＧＬｎと電気的に接続される。従って、ゲートドライバ１５０は、複数のゲートラインＧＬ１〜ＧＬｎにゲート信号を順次に印加して液晶表示パネル１００の短辺に沿って複数の画素行を順次にスキャンする。
【００２３】
データドライバ３５０は、一つのチップに形成され、フレキシブル回路フィルム（ｆｌｅｘｉｂｌｅ  ｐｒｉｎｔｅｄ  ｃｉｒｃｕｉｔ  ｆｉｌｍ）３００上に実装される。データドライバ３５０（以下、ドライバＩＣと称する）は、液晶表示パネル１００の長い方の一辺に隣接して具備され、複数のデータラインＤＬ１〜ＤＬｍと電気的に接続されてデータ信号を供給する。
【００２４】
液晶表示パネル１００の長い方の一辺に隣接して印刷回路基板２００が配置され、印刷回路基板２００は、フレキシブル回路フィルム３００を通じて液晶表示パネル１００に電気的に接続される。具体的に、フレキシブル回路フィルム３００の第１端部は、液晶表示パネル１００の周辺領域ＰＡに付着し、第１端部と対向する第２端部は、印刷回路基板２００の側部に付着する。従って、印刷回路基板２００から出力された信号は、フレキシブル回路基板３００を通じてドライバＩＣ３５０に供給される、或いは液晶表示パネル１００上のゲートドライバ１５０に供給される。
【００２５】
一方、周辺領域ＰＡには、フレキシブル回路フィルム３００から分岐して、表示領域ＤＡに延長されるデータラインＤＬ１〜ＤＬｍが具備されたファンアウト（ｆａｎ−ｏｕｔ）領域ＦＡが形成される。第１及び第２連結ラインＣＬ１、ＣＬ２は、ファンアウト領域ＦＡの左側の外側または右側の外側に各々具備され、第１及び第２共通電圧ラインＶＬ１、ＶＬ２は、ファンアウト領域ＦＡの外側で第１及び第２連結ラインＣＬ１、ＣＬ２に各々隣接して具備される。ここで、第１及び第２連結ラインＣＬ１、ＣＬ２は、第１及び第２共通電圧ラインＶＬ１、ＶＬ２と電気的に絶縁される。
【００２６】
液晶表示装置４００は、ストレージ電圧Ｖｓｔ及び共通電圧Ｖｃｏｍを発生する電圧発生ユニット２１０と、共通電圧Ｖｃｏｍを補償する補償信号を発生する電圧補償ユニット２２０とをさらに含む。電圧発生ユニット２１０及び電圧補償ユニット２２０は、印刷回路基板２００に具備される。
【００２７】
電圧発生ユニット２１０から出力されたストレージ電圧Ｖｓｔは、フレキシブル回路フィルム３００を経由して、液晶表示パネル１００に具備された第１及び第２連結ラインＣＬ１、ＣＬ２に供給され、共通電圧Ｖｃｏｍは、フレキシブル回路フィルム３００を経由して、液晶表示パネル１００に具備された第１及び第２共通電圧ラインＶＬ１、ＶＬ２に供給される。本発明の一例として、ストレージ電圧Ｖｓｔ及び共通電圧Ｖｃｏｍは、直流電圧（ＤＣ）であってもよく、互いに異なる電圧レベルを有する。しかし、ストレージ電圧Ｖｓｔ及び共通電圧Ｖｃｏｍは、互いに同一の電圧レベルを有してもよい。
【００２８】
電圧補償ユニット２２０は、液晶表示パネル１００からストレージ電圧Ｖｓｔを受け、ストレージ電圧Ｖｓｔに含まれるリップル成分を抽出し、ストレージ電圧Ｖｓｔに含まれるリップル成分と反対の位相を有する補償信号ＣＳを液晶表示パネル１００に供給する。
【００２９】
補償信号ＣＳは、第１及び第２共通電圧ラインＶＬ１、ＶＬ２に印加されてもよく、第１及び第２連結ラインＣＬ１、ＣＬ２にも印加されてもよい。ここで、ストレージ電圧Ｖｓｔのリップル成分と共通電圧Ｖｃｏｍのリップル成分とは、互いに類似した波形を有して発生する。従って、ストレージ電圧Ｖｓｔのリップル成分を反転させた位相を有する補償信号ＣＳは、液晶表示パネル１００の共通電圧Ｖｃｏｍ及びストレージ電圧Ｖｓｔで発生するリップル成分を除去することができる。従って、電圧補償ユニット２２０は、液晶表示パネル１００の共通電圧Ｖｃｏｍ及びストレージ電圧Ｖｓｔを補償することができる。
【００３０】
液晶表示パネル１００は、ストレージラインＳＬ１〜ＳＬｎに印加されるストレージ電圧Ｖｓｔを電圧補償ユニット２２０にフィードバックさせるためのフィードバックラインＦＬをさらに具備する。
【００３１】
フィードバックラインＦＬは、複数のストレージラインＳＬ１〜ＳＬｎのうち、フレキシブル回路フィルム３００と最も隣接する第１ストレージラインＳＬ１から分岐する。第１ストレージラインＳＬ１から分岐したフィードバックラインＦＬは、ファンアウト領域ＦＡを通って、フレキシブル回路フィルム３００を経由して印刷回路基板２００に具備された電圧補償ユニット２２０まで延長される。従って、フィードバックラインＦＬは、液晶表示パネル１００のストレージ電圧Ｖｓｔを電圧補償ユニット２２０に供給することができる。
【００３２】
図２は、図１に示されたフィードバックラインの経路（ｐａｔｈ）を拡大して示した拡大図であり、図３は、図２に示された切断線Ｉ‐Ｉ’に沿って切断した断面図である。
【００３３】
図２及び図３を参照すると、フィードバックラインＦＬは、第１ストレージラインＳＬ１から分岐して、ファンアウト領域ＦＡを通過する。ここで、第１ストレージラインＳＬ１は、ゲートラインと同一の物質に形成されてアレイ基板１１０のベース基板１１２上に具備される。フィードバックラインＦＬは、第１ストレージラインＳＬ１と同一の物質に形成されてベース基板１１２上に具備される。
【００３４】
図面に示さなかったが、フィードバックラインＦＬの経路にゲートライン（第１ゲートラインＧＬ１）が形成された場合、第１ゲートラインＧＬ１とフィードバックラインＦＬとの電気的な接続を防止するためにブリッジ構造を採用してもよい。ブリッジ構造により、フィードバックラインＦＬは第１ゲートラインＧＬ１が形成された領域では分離され、分離されたフィードバックラインＦＬは、第１ゲートラインＧＬ１と異なる層に形成されるブリッジ電極を通じて電気的に接続させることができる。
【００３５】
一方、ファンアウト領域ＦＡには、複数のデータラインＤＬ１〜ＤＬｍが具備される。複数のデータラインＤＬ１〜ＤＬｍは、フィードバックラインＦＬをカバーする絶縁膜１１３上に具備される。従って、フィードバックラインＦＬと複数のデータラインＤＬ１〜ＤＬｍとは、絶縁膜１１３によって電気的に絶縁させることができる。図面における符号１１４は、複数のデータラインＤＬ１〜ＤＬｍを保護する保護膜を示す。
【００３６】
図２及び図３では、フィードバックラインＦＬが第１ストレージラインＳＬ１と同一の物質に形成されてベース基板１１２上に具備された構造を示した。しかし、フィードバックラインＦＬは、データラインＤＬ１〜ＤＬｍと同一の物質に形成されて絶縁膜１１３上に形成されてもよい。
【００３７】
フィードバックラインＦＬは、フレキシブル回路フィルム３００上の印刷回路基板２００まで延長される。フレキシブル回路フィルム３００には、ドライバＩＣ３５０が実装されるＩＣ実装領域が提供される。フィードバックラインＦＬは、ＩＣ実装領域を通過するように形成される。ドライバＩＣ３５０の下部面には、複数の入出力端子（ｉｎｐｕｔ  ａｎｄ  ｏｕｔｐｕｔ  ｔｅｒｍｉｎａｌｓ）３５１が具備される。このとき、フィードバックラインＦＬの通過する経路に対応し、ＩＣ実装領域には、複数の入出力端子３５１が形成されないブランク領域３５５が形成される。これにより、複数の入出力端子３５１とフィードバックラインＦＬとが電気的に短絡（ｓｈｏｒｔ−ｃｉｒｃｕｉｔｅｄ）することを防止することができる。
【００３８】
フィードバックラインＦＬは、フレキシブル回路フィルム３００を経由して印刷回路基板２００に延長されて印刷回路基板２００上に具備された電圧補償ユニット２２０と電気的に接続される。従って、電圧補償ユニット２２０は、液晶表示パネル１００のストレージ電圧Ｖｓｔを受けることができ、ストレージ電圧Ｖｓｔに基づいて補償信号ＣＳを生成することができる。電圧補償ユニット２２０については、図６及び図７を参照して具体的に説明する。
【００３９】
図４は、本発明の他の実施形態による液晶表示装置の平面図であり、図５は、図４に示されたドライバＩＣのブロック図である。但し、図４に示された構成要素のうち、図１に示された構成要素と同一の構成要素に対しては、同一の参照符号を併記し、それに対する具体的な説明は省略する。
【００４０】
図４を参照すると、本発明の他の実施形態による液晶表示装置４１０におけるデータドライバは、一つのドライバＩＣに形成され、液晶表示パネル１００の周辺領域ＰＡ上に実装される。
【００４１】
ドライバＩＣ１７０と表示領域ＤＡとの間には、ファンアウト領域ＦＡが形成され、表示領域ＤＡから延びるフィードバックラインＦＬは、ファンアウト領域ＦＡ及びドライバＩＣ１７０を貫通して、フレキシブル回路フィルム３００を経由して印刷回路基板２００に延長される。従って、表示領域ＤＡにおいて第１ストレージラインＳＬ１から分岐するフィードバックラインＦＬは、印刷回路基板２００上に具備された電圧補償ユニット２２０にストレージ電圧Ｖｓｔを供給することができる。
【００４２】
図５に示したように、ドライバＩＣ１７０は、フレキシブル回路フィルム３００（図４に示す）に隣接して具備された入力部１７１と、液晶表示パネル１００の表示領域ＤＡに隣接して具備された出力部１７２と、入力部１７１と出力部１７２との間に具備された中心ブロック１７３と、を含む。中心ブロック１７３は、受信部１７３ａと、タイミングコントローラ１７３ｂと、データドライバ１７３ｃと、を含む。
【００４３】
入力部１７１は、ドライバＩＣ１７０の下部面に互いに所定の間隔に離隔して配置された複数の入力端子１７１ａを含み、出力部１７２は、ドライバＩＣ１７０の下部面に互いに所定の間隔に離隔して配置された複数の出力端子１７２ａを含む。本発明の一例として、ドライバＩＣ１７０は、長方形の形状に形成され、ドライバＩＣ１７０の長辺の一側に隣接して複数の入力端子１７１ａが具備され、他の長辺に隣接して複数の出力端子１７２ａが具備される。
【００４４】
出力部１７２は、二つのグループ１７２ｂ、１７２ｃに分かれ、二つのグループ間の領域には、第１フィードバック端子１７２ｄが具備される。また、入力部１７１は、三つのグループ１７１ｂ、１７１ｃ、１７１ｄに分かれ、三つのグループ１７１ｂ、１７１ｃ、１７１ｄのうち、互いに隣接する二つのグループ間の領域には、第２及び第３フィードバック端子１７１ｅ、１７１ｆが各々具備される。一般的に、ドライバＩＣ１７０に入力される信号よりも出力される信号の数が多いので、入力端子１７１ａより出力端子１７２ａの数が多い。従って、出力部１７２の側には一つのフィードバック端子１７２ｄのみが具備されるが、入力部１７１の側には二つのフィードバック端子１７１ｅ、１７１ｆが具備されてもよい。
【００４５】
第１フィードバック端子１７２ｄは、液晶表示パネル１００の表示領域ＤＡから延長されたフィードバックラインＦＬと電気的に接続され、第２及び第３フィードバック端子１７１ｅ、１７１ｆは、液晶表示パネル１００上でフレキシブル回路フィルム３００に延長されるフィードバックラインＦＬと電気的に接続される。
【００４６】
ドライバＩＣ１７０には、第１フィードバック端子１７２ｄを、第２及び第３フィードバック端子１７１ｅ、１７１ｆに電気的に接続させる第１及び第２サブフィードバックラインＳＦＬ１、ＳＦＬ２が形成される。本発明の一例として、第２及び第３フィードバック端子１７１ｅ、１７１ｆから各々延長された第１及び第２サブフィードバックラインＳＦＬ１、ＳＦＬ２は、中心ブロック１７３を間に挟んで、中心ブロック１７３の周辺部に並んで具備され、出力部１７２側で結合されて第１フィードバック端子１７２ｄに共に接続される。従って、第１及び第２サブフィードバックラインＳＦＬ１、ＳＦＬ２を中心ブロック１７３とオーバーラップしないように形成することによって、中心ブロック１７３がフィードバックラインＦＬを通じて伝送されるストレージ電圧Ｖｓｔのリップルの影響を受けることを防止することができる。
【００４７】
このように、ドライバＩＣ１７０が液晶表示パネル１００上に実装される場合に、フィードバックラインＦＬをドライバＩＣ１７０の内部を貫通するように形成することによって、ドライバＩＣ１７０が実装される領域を通過するように液晶表示パネル１００上に具備される各種配線と、フィードバックラインＳＬとが短絡することを防止することができる。
【００４８】
一方、図５に図示したように、受信部１７３ａは、外部装置から低電圧差動信号（Ｌｏｗ  Ｖｏｌｔａｇｅ  Ｄｉｆｆｅｒｅｎｃｉａｌ  Ｓｉｇｎａｌ:ＬＶＤＳ）インタフェース方式に各種信号を受信してタイミングコントローラ１７３ｂに供給する。
【００４９】
タイミングコントローラ１７３ｂは、ゲート制御信号、データ制御信号及び映像データ（図示せず）を出力する。データドライバ１７３ｃは、タイミングコントローラ１７３ｂからデータ制御信号及び映像データを受信してデータ信号を出力する。出力されたデータ信号は、出力部１７２に供給され、出力部１７２を通じてデータラインに供給される。また、タイミングコントローラ１７３ｂから出力されたゲート制御信号は、出力部１７２を通じてゲートドライバ１５０（図４に示す）に供給される。
【００５０】
図６は、図１に示された電圧補償ユニットの回路図であり、図７は、液晶表示パネルの共通電圧、ストレージ電圧、及び補償信号の波形図である。
【００５１】
図６及び図７を参照すると、電圧補償ユニット２２０は、演算増幅器（ｏｐｅｒａｔｉｏｎａｌ  ａｍｐｌｉｆｉｅｒ）２２１と、キャパシタＣ１と、第１及び第２抵抗Ｒ１、Ｒ２と、を含む。
【００５２】
演算増幅器２２１は、反転入力端子（−）、非反転入力端子（＋）、及び補償信号ＣＳを出力する出力端子を具備する。反転入力端子（−）には、第１抵抗Ｒ１が連結され、反転入力端子（−）と出力端子との間には、第２抵抗Ｒ２が連結される。液晶表示パネル１００からストレージ電圧Ｖｓｔを受ける電圧補償ユニット２２０の入力端子と第１抵抗Ｒ１との間には、キャパシタＣ１が連結され、非反転入力端子（＋）には、基準電圧Ｖｒｅｆが供給される。
【００５３】
液晶表示パネル１００からリップル成分を含むストレージ電圧Ｖｓｔが入力されると、キャパシタＣ１と第１抵抗Ｒ１によってストレージ電圧ＶｓｔのＤＣ成分が除去されて、リップル成分のみが演算増幅器２２１の反転入力端子（−）に供給される。演算増幅器２２１は、リップル成分を基準電圧Ｖｒｅｆと比較して、リップル成分と反転された位相を有する補償信号ＣＳを出力する。
【００５４】
図７に示したように液晶表示パネル１００のストレージ電圧Ｖｓｔと共通電圧Ｖｃｏｍは、互いに類似した波形のリップル成分を含み、電圧補償ユニット２２０から出力された補償信号ＣＳは、リップル成分と反転された位相を有する。従って、補償信号ＣＳが液晶表示パネル１００に供給されると、補償信号ＣＳによって共通電圧Ｖｃｏｍとストレージ電圧Ｖｓｔのリップル成分が除去される。これによって、共通電圧Ｖｃｏｍとストレージ電圧Ｖｓｔを補償することができ、その結果、クロストーク現象を改善することができる。
【００５５】
図８は、本発明のまた他の実施形態による液晶表示装置の平面図であり、図９は、図８に示された共通電圧補償回路の回路図である。但し、図８に示された構成要素のうち、図１に示された構成要素と同一の構成要素に対しては、同一の参照符号を併記し、それに対する詳細な説明は省略する。
【００５６】
図８を参照すると、アレイ基板１１０の表示領域ＤＡには、複数のゲートラインＧＬ１〜ＧＬｎ及び複数のデータラインＤＬ１〜ＤＬｍが具備される。複数のゲートラインＧＬ１〜ＧＬｎは、第１方向Ｄ１に平行に延長され、互いに一定な間隔に配列される。複数のデータラインＤＬ１〜ＤＬｍは、第１方向Ｄ１と直交する第２方向Ｄ２に平行に延長され、互いに一定な間隔に配列される。複数のデータラインＤＬ１〜ＤＬｍと複数のゲートラインＧＬ１〜ＧＬｎとは、互いに異なる層の上に具備されて互いに絶縁されるように交差する。
【００５７】
本発明の一例として、液晶表示パネル１００は、第１方向Ｄ１より第２方向Ｄ２に長い長方形の構造に形成され、複数のゲートラインＧＬ１〜ＧＬｎの数は、複数のデータラインＤＬ１〜ＤＬｍの数より多い。即ち、液晶表示パネル１００が１２８０×８００の解像度を有する場合、複数のゲートラインＧＬ１〜ＧＬｎの数は、１２８０×３であり、複数のデータラインＤＬ１〜ＤＬｍの数は、８００である。
【００５８】
ゲートドライバ１５０は、液晶表示パネル１００の長辺に隣接するブラックマトリックス領域ＢＡに具備され、複数のゲートラインＧＬ１〜ＧＬｎの一端部に接続される。従って、ゲートドライバ１５０は、複数のゲートラインＧＬ１〜ＧＬｎにゲート信号を順次に印加して、液晶表示パネル１００の長辺に沿って一つの画素列単位に順次にスキャンする。
【００５９】
データドライバは、１−チップ（以下、ドライバＩＣ３６０と称する）に形成され、フレキシブル回路フィルム３００上に実装される。ドライバＩＣ３６０は、液晶表示パネル１００の短辺に隣接して具備され、複数のデータラインＤＬ１〜ＤＬｍと電気的に接続されて複数のデータラインＤＬ１〜ＤＬｍにデータ信号を供給する。
【００６０】
液晶表示パネル１００の短辺に隣接して印刷回路基板２００が配置され、印刷回路基板２００は、フレキシブル回路フィルム３００を通じて液晶表示パネル１００に電気的に接続される。具体的に、フレキシブル回路フィルム３００の第１端部は、液晶表示パネル１００の周辺領域ＰＡに付着し、第１端部と対向する第２端部は、印刷回路基板２００に付着する。従って、印刷回路基板２００から出力された信号は、フレキシブル回路基板３００を通じてドライバＩＣ３６０に供給される、或いは液晶表示パネル１００上のゲートドライバ１５０に供給される。
【００６１】
液晶表示装置４３０は、液晶表示パネル１００に印加される共通電圧を補償するための共通電圧補償回路２３０と、液晶表示パネル１００から共通電圧Ｖｃｏｍを印加する第１及び第２共通電圧ラインＣＬ１、ＣＬ２と、液晶表示パネル１００からパネル共通電圧ＶｆがフィードバックされるためのフィードバックラインＦＬと、をさらに具備する。
【００６２】
共通電圧補償回路２３０は、印刷回路基板２００上に具備され、液晶表示パネル１００からフィードバックされたパネル共通電圧Ｖｆを受けて、補償された共通電圧Ｖｃｏｍ（ａ  ｃｏｍｐｅｎｓａｔｅｄ  ｃｏｍｍｏｎ  ｖｏｌｔａｇｅ）を出力して、再び液晶表示パネル１００に印加する。
【００６３】
図９に示したように、共通電圧補償回路２３０は、ＯＰ-アンプ（ｏｐ−ａｍｐ）と、第１及び第２抵抗Ｒ１、Ｒ２と、を含む。ＯＰ-アンプの非反転端子（＋）には、所定の基準電圧Ｖｒｅｆが印加され、ＯＰ-アンプの反転端子（−）と出力端子との間には、第１抵抗Ｒ１が連結される。第２抵抗Ｒ２は、ＯＰ-アンプの反転端子（−）と、パネル共通電圧Ｖｆがフィードバックされるフィードバック端子との間に連結される。
【００６４】
共通電圧補償回路２３０から出力された補償された共通電圧Ｖｃｏｍは、次の式１を満たす。
【数１】
2010107980.tif 000003
式１に示したように、補償された共通電圧Ｖｃｏｍは、第１及び第２抵抗Ｒ１、Ｒ２の割合によって調節することができる。
【００６５】
一方、液晶表示パネル１００のカラーフィルタ基板１２０には、共通電極（図示せず）が形成される。共通電極は、液晶表示パネル１００のブラックマトリックス領域ＢＡに形成された第１及び第２ショートポイントＳＰ１、ＳＰ２で第１及び第２共通電圧ラインＣＬ１、ＣＬ２と各々電気的に接続されて、補償された共通電圧Ｖｃｏｍを受ける。図面に示していないが、第１及び第２ショートポイントＳＰ１、ＳＰ２には、第１及び第２導電性スペーサ（図示せず）が各々具備されて共通電極を第１及び第２共通電圧ラインＣＬ１、ＣＬ２に電気的に接続させる。
【００６６】
本発明の一実施形態に、第１ショートポイントＳＰ１は、第１ゲートラインＧＬ１と第１データラインＤＬ１とが交差する地点に隣接して具備され、第２ショートポイントＳＰ２は、第１ゲートラインＧＬ１と第ｍデータラインＤＬｍとが交差する地点に隣接して具備される。
【００６７】
フィードバックラインＦＬは、液晶表示パネル１００の複数のストレージラインＳＬ１〜ＳＬｎのうち、第１ストレージラインＳＬ１に連結されてストレージ電圧の供給を受け、ストレージ電圧を共通電圧補償回路２３０に供給する。フィードバックラインＦＬは、フレキシブル回路フィルム３００及びドライバＩＣ３６０を経由して、印刷回路基板２００に具備された共通電圧補償回路２３０のフィードバック端子Ｖｆに電気的に接続される。
【００６８】
図１０は、図８に示された液晶表示装置の駆動回路を示したブロック図である。図１０を参照すると、液晶表示装置４００の駆動回路は、タイミングコントローラ３１０と、フレームメモリ３２０と、ゲートドライバ１５０と、ドライバＩＣ３６０と、を含む。
【００６９】
タイミングコントローラ３１０は、外部装置からデータイネーブル信号ＤＥ、垂直同期信号Ｖｓｙｎｃ、水平同期信号Ｈｓｙｎｃ、メーンクロック信号ＭＣＬＫ、及び第１映像データＲＧＢ-ｄａｔａを受信する。タイミングコントローラ３１０は、外部装置から受信された第１映像データＲＧＢ-ｄａｔａを順次にフレームメモリ３２０に格納する。タイミングコントローラ３１０は、フレームメモリ３２０に格納された第１映像データＲＧＢ-ｄａｔａを読み出して、第２映像データＲ'Ｇ'Ｂ'-ｄａｔａに変換するデータ変換部３１５を含む。データ変換部３１５から出力された第２映像データＲ'Ｇ'Ｂ'-ｄａｔａは、ドライバＩＣ２１０に供給される。
【００７０】
図１１は、第１映像データの入力順序を示した図であり、図１２は、第２映像データの入力順序を示した図である。但し、図１１及び図１２では、液晶表示パネル１００が１２８０×８００の解像度を有すると仮定する。
【００７１】
図１１を参照すると、第１映像データＲＧＢ-ｄａｔａは、画素行単位に順次に入力されて形成されたデータグループである。ここで、画素行は、第２方向Ｄ２に配列された画素のグループとして形成される。
【００７２】
具体的に、第１映像データＲＧＢ-ｄａｔａは、最初の画素行であるＲ（１、１）、Ｇ（１、１）、Ｂ（１、１）、Ｒ（２、１）、Ｇ（２、１）、Ｂ（２、１）、．．．Ｒ（１２８０、１）、Ｇ（１２８０、１）、Ｂ（１２８０、１）から始まり、第２方向Ｄ２に順次に増加して最後の画素行であるＲ（１、８００）、Ｇ（１、８００）、Ｂ（１、８００）、Ｒ（２、８００）、Ｇ（２、８００）、Ｂ（２、８００）、．．．Ｒ（１２８０、８００）、Ｇ（１２８０、８００）、Ｂ（１２８０、８００）までのデータグループとして形成される。
【００７３】
図１２に示したように、データ変換部３１５によって変換された第２映像データＲ'Ｇ'Ｂ'-ｄａｔａは、画素列単位に順次に形成されたデータグループである。ここで、画素列は、第１方向Ｄ１に配列された画素のグループとして形成される。
【００７４】
具体的に、第２映像データＲ'Ｇ'Ｂ'-ｄａｔａは、最初の画素列であるＲ（１、１）、Ｒ（１、２）、Ｒ（１、３）、Ｒ（１、４）、Ｒ（１、５）、Ｒ（１、６）、．．．Ｒ（１、７９８）、Ｒ（１、７９９）、Ｂ（１、８００）から始まり、第１方向Ｄ１に順次に増加して最後の画素列であるＢ（１２８０、１）、Ｂ（１２８０、２）、Ｂ（１２８０、３）、Ｂ（１２８０、４）、Ｂ（１２８０、５）、Ｂ（１２８０、６）、．．．Ｂ（１２８０、７９８）、Ｂ（１２８０、７９９）、Ｂ（１２８０、８００）までのデータグループとして形成される。
【００７５】
図８に示したように、ゲートドライバ１５０が液晶表示パネル１００の長辺の側に配置され、ドライバＩＣ３６０が液晶表示パネル１００の短辺の側に配置されるので、液晶表示パネル１００のスキャン方向は、第２方向Ｄ２に向かって進行する。従って、タイミングコントローラ３１０は、外部装置から供給された第１映像データＲＧＢ-ｄａｔａをスキャン方向である第２方向Ｄ２に適した第２映像データＲ'Ｇ'Ｂ'-ｄａｔａに変換してドライバＩＣ３６０に供給する。
【００７６】
再び図１０を参照すると、タイミングコントローラ３１０は、データイネーブル信号ＤＥ、メーンクロック信号ＭＣＬＫ、垂直同期信号Ｖｓｙｎｃ、及び水平同期信号Ｈｓｙｎｃを利用して、データ制御信号及びゲート制御信号を生成して、各々ドライバＩＣ３６０及びゲートドライバ１５０に出力する。
【００７７】
ドライバＩＣ３６０は、タイミングコントローラ３１０から供給されたデータ制御信号及び第２映像データＲ'Ｇ'Ｂ'-ｄａｔａに応答して複数のデータ信号を複数のデータラインＤＬ１〜ＤＬｍに出力する。ここで、データ制御信号は、水平開始信号ＳＴＨと、反転信号ＲＥＶと、出力開始信号ＴＰと、を含む。水平開始信号ＳＴＨは、ドライバＩＣ３６０の動作を開始する信号であり、反転信号ＲＥＶは、データ信号の極性を反転させる信号であり、出力開始信号ＴＰは、ドライバＩＣ２６０からデータ信号が出力される時点を決定する信号である。
【００７８】
ゲートドライバ１５０は、タイミングコントローラ３１０から供給されるゲート制御信号に応答して、複数のゲート信号ＧＳ１〜ＧＳｎを順次に複数のゲートラインＧＬ１〜ＧＬｎに出力する。ゲート制御信号は、垂直開始信号ＳＴＶと、第１及び第２クロック信号ＣＫＶ、ＣＫＶＢと、を含む。垂直開始信号ＳＴＶは、ゲートドライバ１５０の動作を開始する信号であり、第１及び第２クロック信号ＣＫＶ、ＣＫＶＢは、ゲートドライバ１５０からゲート信号ＧＳ１〜ＧＳｎを順次に出力するタイミングを決定する信号である。
【００７９】
図１３は、本発明の他の実施形態によるドライバＩＣのブロック図である。図１３を参照すると、ドライバＩＣ３６０には、受信部３６２と、タイミングコントローラ３１０と、データドライバ３６３とが形成され、ドライバＩＣ３６０の外側面には、入力端子を含む入力部３６１と、出力端子を含む出力部３６４とが具備される。本発明の一例として、ドライバＩＣ３６０は、長方形の形状に形成されてもよく、長辺の一方に隣接して入力部３６１が具備され、もう一方の長辺に隣接して出力部３６４が具備される。
【００８０】
入力部３６１の中央には、第１ダミー端子（ｄｕｍｍｙ  ｔｅｒｍｉｎａｌ）３６６が具備され、出力部３６４の中央には、第２ダミー端子３６７が具備される。第１及び第２ダミー端子３６６、３６７は、ドライバＩＣ３６０の外側面に具備され、分離した少なくとも二つの端部を有するフィードバックラインＦＬと電気的に接続される。また、第１及び第２ダミー端子３６６、３６７は、ドライバＩＣ３６０の内部に具備された内部配線３６８を通じて電気的に接続される。従って、分離したフィードバックラインＦＬの端部は、第１ダミー端子３６６、第２ダミー端子３６７、及び内部配線３６８を通じて電気的に接続される。
【００８１】
入力部３６１と出力部３６４との間には、受信部３６２と、タイミングコントローラ３１０と、データドライバ３６３とが配置される。
【００８２】
受信部３６２は、外部装置から低電圧差動信号ＬＶＤＳインタフェース方式で各種の信号を受信してタイミングコントローラ３１０に供給する。図１０に示したように、タイミングコントローラ３１０に供給される信号は、第１映像データＲＧＢ-ｄａｔａと、データイネーブル信号ＤＥと、メーンクロック信号ＭＣＬＫと、垂直同期信号Ｖｓｙｎｃと、水平同期信号Ｈｓｙｎｃと、を含んでもよい。
【００８３】
タイミングコントローラ３１０は、ゲート制御信号と、データ制御信号と、第２映像データＲ'Ｇ'Ｂ'-ｄａｔａ（図１０に示す）とを出力する。データドライバ３６３は、タイミングコントローラ３１０から、データ制御信号及び第２映像データＲ'Ｇ'Ｂ'-ｄａｔａを受信してデータ信号を出力する。出力されたデータ信号は、出力部３６４に供給され、出力部３６４を通じてデータラインに供給される。また、タイミングコントローラ３１０から出力されたゲート制御信号は、出力部２１４を通じてゲートドライバ１５０（図９に示す）に供給される。
【００８４】
図面には示さなかったが、ドライバＩＣ３６０は、図１０に示されたフレームメモリ３２０を具備してもよい。
【００８５】
このように、受信部３６２、タイミングコントローラ３１０、及びフレームメモリ３２０などの回路を、ドライバＩＣ３６０に形成することによって、液晶表示装置４３０の部品数を減少させることができる。
【００８６】
図８では、ドライバＩＣ３６０がフレキシブル回路フィルム２００上に具備された構造を示したが、ドライバＩＣ３６０は、液晶表示パネル１００の周辺領域ＰＡの上に実装されてもよい。
【００８７】
以上、実施形態を参照して説明したが、当該技術分野の熟練された当業者は、下記の特許請求の範囲に記載された本発明の思想及び領域から抜け出さない範囲内で本発明を多様に修正及び変更させることができることを理解することができるはずである。
【符号の説明】
【００８８】
１００      液晶表示パネル
１５０      ゲートドライバ
２００      印刷回路基板
２１０      電圧発生ユニット
２２０      電圧補償ユニット
３００      フレキシブル回路フィルム
３５０、１７０      データドライバ
４００      液晶表示装置
【図１】
2010107980.tif 000004
【図２】
2010107980.tif 000005
【図３】
2010107980.tif 000006
【図４】
2010107980.tif 000007
【図５】
2010107980.tif 000008
【図６】
2010107980.tif 000009
【図７】
2010107980.tif 000010
【図８】
2010107980.tif 000011
【図９】
2010107980.tif 000012
【図１０】
2010107980.tif 000013
【図１１】
2010107980.tif 000014
【図１２】
2010107980.tif 000015
【図１３】
2010107980.tif 000016